(57)【要約】【課題】ユーザの番組視聴を妨げることなく、非視聴中チャネルについての情報を取得する「デジタル放送受信装置及びチャネル情報取得方法」を提供する。【解決手段】通常の受信時には、切替部３３によって、第２受信系統２の接続を、ダイバーシティ合成部３の合成器３２に接続し、ダイバーシティ合成部３で、第１受信系統１で復調されたベースバンド信号を第２受信系統２で復調されたベースバンド信号と合成し再生系統４に出力して再生することによりダイバーシティ受信を行う。ユーザから、ＥＰＧ表示の指示があった場合には、第２受信系統２の接続を切替部３３によって他チャネルＳＩ取得系統５に切替え、再生系統４で第１受信系統１で復調されたベースバンド信号の再生を継続しつつ、第２受信系統２の他チャネルの受信に用いることにより、他チャネルＳＩ取得系統５で分離される他チャネルのＥＰＧを取得する。【選択図】図１
2005117226.tif 000002
【特許請求の範囲】
【請求項１】
番組データを放送するデジタル放送のチャネルを受信するデジタル放送受信装置であって、
当該デジタル放送受信装置の動作モードを、第１の動作モードと第２の動作モードとを少なくとも含む複数の動作モードの間で切り替える動作モード制御手段と、
前記チャネルを受信する第１の受信系統と、
前記チャネルを受信する第２の受信系統と、
前記第１の受信系統の受信信号と第２の受信系統の受信信号を用いたダイバーシティ受信処理を行うダイバーシティ受信処理部と、
前記受信信号に基づいて前記受信チャネルの番組データが表す番組の再生及び出力を行う再生処理部と、
前記第１の動作動作モードにおいて、受信チャネルとして指定されたチャネルを前記第１の受信系統と第２の受信系統に受信させると共に、前記再生処理部に、ダイバーシティ受信処理部で前記ダイバーシティ受信処理された受信信号に基づく前記受信チャネルの番組データが表す番組の再生及び出力を行わせるダイバーシティ受信制御手段と、
前記第２の動作モードにおいて、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に、前記受信チャネル以外の他のチャネルを受信させて、当該他のチャネルについての情報を取得する他チャネル情報取得手段とを有することを特徴とするデジタル放送受信装置。
【請求項２】
請求項１記載のデジタル放送受信装置であって、
前記チャネルは、電子的な番組案内情報であるＥＰＧが番組データに多重されて放送されるチャネルであって、
前記他チャネル情報取得手段が取得する前記他のチャネルについての情報は、当該他のチャネルのＥＰＧであって、
当該他チャネル情報取得手段は、前記第２の動作モードにおいて、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に、前記受信チャネル以外の他のチャネルを受信させて、当該他のチャネルのＥＰＧを取得することを特徴とするデジタル放送受信装置。
【請求項３】
請求項２記載のデジタル放送受信装置であって、
前記チャネルは、正常受信に必要となる伝送品質レベルが異なる複数の、各々番組データを放送する階層を含み、
前記他チャネル情報取得手段は、前記第２の動作モードにおいて、前記第１の受信系統が受信する前記受信チャネルの階層を、前記第１の動作モードにおいて前記第１の受信系統が受信する前記受信チャネルの階層よりも、正常受信に必要となる伝送品質レベルが低い階層に切り替えることを特徴とするデジタル放送受信装置。
【請求項４】
請求項１記載のデジタル放送受信装置であって、
前記他チャネル情報取得手段が取得する前記他のチャネルについての情報は、前記受信チャネル以外の正常受信が可能なチャネルの放送周波数であって、
当該他チャネル情報取得手段は、前記第２の動作モードにおいて、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に順次異なる放送周波数を受信させながら、前記第２の受信系統の受信状態を判定することにより、正常受信が可能な他チャネルの放送周波数を探索することを特徴とするデジタル放送受信装置。
【請求項５】
請求項１、２、３または４記載のデジタル放送受信装置であって、
前記デジタル放送は、ＴＶ番組を放送するデジタル放送であることを特徴とするデジタル放送受信装置。
【請求項６】
デジタル放送のチャネルを各々受信する複数の受信系統を備え、前記複数の受信系統の受信信号を用いたダイバーシティ受信を行う通常受信動作を行うデジタル放送受信装置において、前記受信チャネル以外の他のチャネルについての情報を取得する非受信出力中チャネルのチャネル情報取得方法であって、
前記他のチャネルについての情報を取得する場合に、前記複数の受信系統のうちの一部の受信系統で前記受信チャネルを受信し、当該一部の受信系統で受信した受信信号に基づく前記受信チャネルの前記番組データが表す番組の再生及び出力を行うステップと、
前記複数の受信系統の前記一部の受信系統を除く残りの受信系統で前記受信チャネル以外の他のチャネルを受信し、当該他のチャネルについての情報を取得するステップとを有することを特徴とするチャネル情報取得方法。
【発明の詳細な説明】
【技術分野】
【０００１】
本発明は、デジタルＴＶ放送などのデジタル放送を受信するデジタル放送受信装置におけるＥＰＧ（Electoronic Program Guide）取得の技術に関するものである。
【背景技術】
【０００２】
デジタルＴＶ放送としては、たとえば我が国において放送開始が予定されている地上デジタルＴＶ放送（ISDB-T）の技術が知られている。
また、このようなデジタルＴＶ放送では、チャネル毎に、ＥＰＧと呼ばれる電子的な番組案内情報（番組表情報等）が、動画や音声といった番組コンテンツのデータに多重化されて放送されることがある。
そして、このようなＥＰＧを取得する技術としては、チューナを二つ備え、一つのチューナを番組の受信と番組受信中のチャネルのＥＰＧの取得に、他のチューナを他のチャネルのＥＰＧの取得に用いる技術が知られている（たとえば、特許文献１）。
【特許文献１】特開平１１−２７５９３号公報
【発明の開示】
【発明が解決しようとする課題】
【０００３】
前記従来のＥＰＧ取得の技術によれば、あるチャネルのＥＰＧが、そのチャネルのみで放送される場合にも、番組受信中のチャネルのみならず、他のチャネルのＥＰＧをも取得してユーザに提示することができる。
しかしながら、この技術によれば他チャネルのＥＰＧ取得専用のチューナを設ける必要があるため、デジタル放送受信装置の構成の大型化や高価格化を招いてしまう。
その一方で、単一のチューナを用いて、チャネルを切替えながら各チャネルのＥＰＧを取得するようにすれば、各チャネルのＥＰＧ取得完了までに長時間を要してしまうので、長時間に渡ってユーザが番組の視聴できなくなってしまうという不都合を生じてしまう。
また、複数日分などの比較的長い期間についての番組案内情報が放送される場合には、複数チャネルのＥＰＧをユーザに提示する方法として、深夜などユーザが番組の受信を行っていない時間帯に、自動的に各チャネルのＥＰＧを取得して蓄積しておき、蓄積したＥＰＧを用いてユーザに各チャネルのＥＰＧを提示することも考えられる。しかしながら、このような手法は、車載のデジタル放送受信装置への適用においては、暗電流の増加の問題を招く。また、自動車が、ＥＰＧを取得した時点に位置していた地域とは受信可能な放送局が異なる地域に移動した場合、現在受信可能なチャネルのＥＰＧが蓄積されていないために、これをユーザに提示することができない。
【０００４】
そこで、本発明は、効率的な構成において、できるだけユーザの所望チャネルの番組視聴を妨げることなく、他のチャネルについてのＥＰＧその他の情報を取得することを課題とする。
【課題を解決するための手段】
【０００５】
前記課題達成のために、本発明は、番組データを放送するデジタル放送のチャネルを受信するデジタル放送受信装置に、当該デジタル放送受信装置の動作モードを、第１の動作モードと第２の動作モードとを少なくとも含む複数の動作モードの間で切り替える動作モード制御手段と、前記チャネルを受信する第１の受信系統と、前記チャネルを受信する第２の受信系統と、前記第１の受信系統の受信信号と第２の受信系統の受信信号を用いたダイバーシティ受信処理を行うダイバーシティ受信処理部と、前記受信信号に基づいて前記受信チャネルの番組データが表す番組の再生及び出力を行う再生処理部と、前記第１の動作動作モードにおいて、受信チャネルとして指定されたチャネルを前記第１の受信系統と第２の受信系統に受信させると共に、前記再生処理部に、ダイバーシティ受信処理部で前記ダイバーシティ受信処理された受信信号に基づく前記受信チャネルの番組データが表す番組の再生及び出力を行わせるダイバーシティ受信制御手段と、前記第２の動作モードにおいて、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に、前記受信チャネル以外の他のチャネルを受信させて、当該他のチャネルについての情報を取得する他チャネル情報取得手段とを備えたものである。
【０００６】
このようなデジタル放送受信装置によれば、通常は、二つの受信系統を用いたダイバーシティ受信によって、高品位に受信チャネルの受信再生出力を行うことができる。また、他チャネルについての情報を取得する際には、一方の受信系統を用いてチャネルの受信再生出力を継続しつつ、他方の受信系統を用いて受信チャネル以外のチャネルについての情報を取得することができる。このようにすることにより受信チャネル以外の他チャネルについての情報を取得する際の受信性能は劣化するが、受信チャネル以外の他チャネルについての情報を取得するための特段の構成の付加の必要を廃しつつ、他チャンネルについての情報取得時の、ユーザの一定の品位での受信チャネルの視聴の継続を可能とすることができる。
【０００７】
ここで、前記チャネルは、電子的な番組案内情報であるＥＰＧが番組データに多重されて放送されるチャネルである場合には、前記他チャネル情報取得手段が取得する前記他のチャネルについての情報は、当該他のチャネルのＥＰＧとしてよい。すなわち、前記第２の動作モードにおいて、前記他チャネル情報取得手段は、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に、前記受信チャネル以外の他のチャネルを受信させて、当該他のチャネルのＥＰＧを取得するようにしてよい。なお、受信チャネルのＥＰＧについては、受信チャネルの受信信号より取得することができる。
【０００８】
このようにすることにより、受信チャネル以外の他チャネルについてのＥＰＧを取得するための特段の構成を必要としない効率的な構成において、ユーザの所望チャネルの番組視聴を停止することなく、他のチャネルについてのＥＰＧを取得することができるようになる。
また、このようにＥＰＧを取得する場合において、前記チャネルは、正常受信に必要となる伝送品質レベルが異なる複数の、各々番組データを放送する階層を含むものである場合には、前記他チャネル情報取得手段は、前記第２の動作モードにおいて、前記第１の受信系統が受信する前記受信チャネルの階層を、前記第１の動作モードにおいて前記第１の受信系統が受信する前記受信チャネルの階層よりも、正常受信に必要となる伝送品質レベルが低い階層に切り替えるようにしてもよい。
【０００９】
このように、他チャンネルのＥＰＧ取得の際には、正常受信に必要となる伝送品質レベルが低くても正常に受信できる階層を受信対象とすることにより、この際にダイバーシティ受信を行わないことにより生じるデジタル放送受信装置の受信性能の劣化のために、受信チャネルの番組を正常に再生出力できなくなってしまうことを防ぐことができる。
【００１０】
一方、前記他チャネル情報取得手段が取得する前記他のチャネルについての情報は、前記受信チャネル以外の正常受信が可能なチャネルの放送周波数としてもよく、この場合には、前記第２の動作モードにおいて、当該他チャネル情報取得手段は、前記第１の受信系統で前記受信チャネルを受信させて、前記再生処理部に、前記第１の受信系統で受信した受信信号に基づく前記受信チャネルの前記番組データが表す番組の再生及び出力を行わせると共に、前記第２の受信系統に順次異なる放送周波数を受信させながら、前記第２の受信系統の受信状態を判定することにより、正常受信が可能な他チャネルの放送周波数を探索するようにする。
【００１１】
このようにすることにより、受信チャネルの視聴を継続しながら、他の正常受信可能なチャネルの探索を行うことができる。
なお、前記デジタル放送は、ＴＶ番組を放送するデジタルＴＶ放送やオーディオ番組を放送するデジタルオーディオ放送であってよい。
【発明の効果】
【００１２】
以上のように、本発明によれば、効率的な構成において、できるだけユーザの所望チャネルの番組視聴を妨げることなく、他のチャネルについてのＥＰＧその他の情報を取得することができる。
【発明を実施するための最良の形態】
【００１３】
以下、本発明の実施形態について、地上デジタルＴＶ放送（ISDB-T）を受信する、車載のデジタルＴＶ放送受信装置への適用を例にとり説明する。
図１に、本実施形態に係るデジタルＴＶ受信装置の構成を示す。
図示するように、本デジタルＴＶ受信装置は、第１受信系統１、第２受信系統２、ダイバーシティ合成部３、再生系統４、他チャネルＳＩ取得系統５、ＯＳＤ部６、音声出力部７、表示部８、操作部９、制御部１０とを有する。
第１受信系統１と第２受信系統２とは、同構成を有しており、それぞれ、アンテナ１１、チューナ１２、ＯＦＤＭ復調器１３とを有する。また、ダイバーシティ合成部３は、位相器３１、合成器３２、切替部３３とを有する。そして、再生系統４は、誤り訂正部４１と、ＴＳ分離部４２と、オーディオデコーダ４３と、ビデオデコーダ４４を有する。また、他チャネルＳＩ取得系統５は、再生系統４と同様の誤り訂正部４１と、ＴＳ分離部４２とを有する。
【００１４】
このような構成において、通常のデジタルＴＶ放送の受信は、以下のように行う。
すなわち、制御部１０は、切替部３３によって、第２受信系統２の接続を、ダイバーシティ合成部３の合成器３２に接続する。また、操作部９のユーザ操作などに応じて受信チャネルを決定し、第１受信系統１のチューナ１２と第２受信系統２のチューナ１２に、受信チャネルの放送周波数のＲＦ信号を受信させる。また、制御部１０は、ＯＦＤＭ復調器１３に受信階層を指定する。
【００１５】
第１受信系統１および第２受信系統２において、チューナ１２によって受信されたＲＦ信号は、ＯＦＤＭ（Orthogonal Frequency Division Multiplexing）変調された１または複数の階層の信号であり、それぞれＯＦＤＭ復調器１３によって、制御部１０から指定された階層のベースバンド信号に復調され、ダイバーシティ合成部３に送られる。ここで、この階層については後述する。
ダイバーシティ合成部３では、第１受信系統１で復調されたベースバンド信号を、位相器３１で適当な位相調整を施した上で、第２受信系統２で復調されたベースバンド信号と、ダイバーシティ合成部３の合成器３２で合成し再生系統４に出力する。ここで、制御部１０は、通常のデジタルＴＶ放送の受信時には、切替部３３によって第２受信系統２をダイバーシティ合成部３の合成器３２に接続する。すなわち、本デジタル放送受信装置では、通常のデジタルＴＶ放送受信動作時には、２系統の受信系統１、２と、ダイバーシティ合成部３によって、デジタルＴＶ放送のダイバーシティ受信を行うものである。
【００１６】
再生系統４では、以下の再生動作を行う。すなわち、誤り訂正部４１においてベースバンド信号のデインタリーブや誤り訂正や誤り訂正符号の除去等の処理を行ってＭＰＥＧ２規格に従ったＴＳ（トランスポートストリーム）を復元し、ＴＳ分離部４２に送る。ＴＳ分離部４２は、ＴＳを、ビデオデータと、オーディオデータと、その他の制御情報ＰＳＩ／ＳＩとに分離する。
【００１７】
そして、オーディオデコーダ４３は、分離されたオーディオデータを復号して、オーディオ信号を生成し音声出力部７に出力する。音声出力部７は、オーディオアンプやスピーカなどからなる音声を出力する装置であり、入力するオーディオ信号が表す音声を出力する。一方、ビデオデコーダ４４は、分離されたビデオデータを復号し、ビデオ信号を生成し、ＯＳＤ部６（オンスクリーンディスプレイ部）を介して、表示部８にビデオを出力する。ＯＳＤ部６は、制御部１０からの制御にしたがって、表示部８に出力するビデオ信号に文字や図形などを重畳する。
【００１８】
そして、制御部１０は、分離された制御情報ＰＳＩ／ＳＩを用いながら、以上各部の動作を統括、制御する。
以下、このようなデジタル放送受信装置におけるＥＰＧ取得の動作について説明する。
制御部１０は、操作部９を介してユーザから、ＥＰＧ表示の指示があるとＥＰＧ取得処理を実行する。
図２に、このＥＰＧ取得処理の手順を示す。
図示するように、この処理では、まず、再生系統４の再生動作と、ダイバーシティ合成部３の合成器３２の合成動作を一旦停止し（ステップ２０２、２０４）、切替部３３によって、第２受信系統２の接続を、ダイバーシティ合成部３の合成器３２から、他チャネルＳＩ取得系統５に切り替える（ステップ２０６）。
【００１９】
そして、現在の受信中チャネルの受信階層の変更の要否を調査する（ステップ２０８）。
ここで、地上デジタルＴＶ放送では、図３ａに示すように１伝送チャネルは、周波数帯毎の１３のセグメントより構成されており、セグメントを組み合わせて用いることにより、伝送特性の異なる複数の階層を同時に伝送する階層伝送が可能となっている。すなわち、各階層は、１つまたは複数のセグメントにより構成され、階層ごとに、独立に、キャリア変調方式、内符号の符号化率等のパラメータを設定することができる。また、中央の１つのセグメントについては、周波数インターリーブをそのセグメント内のみで行う動作モードが設けられており、この中央のセグメントを受信するのみで番組を受信できる部分受信が可能となっている。
【００２０】
なお、１伝送チャネルに設定可能な階層数は最大３と規定されており、この３つの階層は強階層、中階層、弱階層よりなる。各階層は、正常受信に必要となるＣ／Ｎ比の大きさに対応しており、正常受信に必要となるＣ／Ｎ比が最も大きな階層が弱階層、正常受信に必要となるＣ／Ｎ比が中位の階層が中階層、正常受信に必要となるＣ／Ｎ比が最も低い階層が強階層である。なお、正常受信に必要となるＣ／Ｎ比は、その階層のセグメントで用いられるキャリア変調方式（たとえば、強階層はＱＰＳＫ、弱階層はＱＡＭなど）や内符号化率等に依存して定まる。
【００２１】
デジタルＴＶ放送局では、この１３のセグメント全てを弱階層に用いてＨＤＴＶ（高精細ＴＶ）放送を行うことも可能であり、中央の１セグメントを強階層に用いて移動体用の簡易な動画放送に用いながら他のセグメントを弱階層や中階層に用いて１または複数のＨＤＴＶやＳＤＴＶ（標準精細度ＴＶ）の放送を行うこともできる。
【００２２】
本実施形態では、通常のデジタルＴＶ放送の受信時には、受信中のチャネルに含まれる階層の内の、最も弱い階層または正常受信可能な階層の内の最も弱い階層を、受信階層として第１受信系統及び第２受信系統２のＯＦＤＭ復調器１３に指定して受信させる。
さて、図２に戻り、ステップ２０８では、現在の受信中チャネルの受信階層の変更の要否を、通常のデジタルＴＶ放送の受信時に設定していた受信階層よりも強い階層が、受信中のチャネルに含まれている場合には、受信階層の変更の要有りとして、受信中のチャネルに含まれている最も強い階層を変更先の受信階層とする。
【００２３】
ただし、現在自動車が走行中でない場合や、受信中のチャネルのＣ／Ｎ比が通常のデジタルＴＶ放送の受信時に設定していた受信階層の正常受信に充分である場合には、無条件に、現在の受信中チャネルの受信階層の変更の要無しと判定するようにしてもよい。
さて、ステップ２０８で、受信階層の変更の要無しとの結果が得られた場合には（ステップ２１０）、ステップ２１２に進み、受信階層の変更要有りとの結果が得られた場合には（ステップ２１０）、ステップ２２６で、第１受信系統１のＯＦＤＭ復調器１３に指定する受信階層を、ステップ２０８で決定した変更先の階層に変更した上でステップ２１２に進む。
【００２４】
そして、ステップ２１２では、再生系統４の再生動作を再開させる。この結果、受信中チャネルの受信は、第１受信系統１のみを用いた非ダイバシティ受信となり、受信特性は劣化する。このため、あるレベル以上、受信状態の良い放送しか受信できなくなるが、本実施形態では、非ダイバシティ受信を行う場合には、上述のように受信階層を、無条件に、または、受信状態に応じて強階層に切り替えているため、非ダイバシティ受信中でも受信中チャネルの受信、再生を支障なく行うことができる。
【００２５】
また、次に、ＥＰＧ提示処理を実行する（ステップ２１４）。このＥＰＧ提示処理の詳細については後述する。
そして、ＥＰＧ提示処理が終了したならば、再生系統４の再生動作を一旦停止する（ステップ２１６）。そして、第２受信系統２の接続を、他チャネルＳＩ取得系統５からダイバーシティ合成部３の合成器３２に戻し（ステップ２１８）、第２受信系統２の受信チャネルをＥＰＧ取得処理開始時の受信チャネルに復帰すると共に、第１受信系統１及び第２受信系統２のＯＦＤＭ復調器１３に指定する受信階層をＥＰＧ取得処理開始時の階層に復帰する（ステップ２２０）。そして、ダイバーシティ合成部３の合成器３２の合成動作を再開させた上で（ステップ２２２）、再生系統４の再生動作を再開させて（ステップ２２４）処理を終了する。
【００２６】
以下、このようなＥＰＧ取得処理のステップ２１４で行ったＥＰＧ提示処理について説明する。
図４に、このＥＰＧ提示処理の手順を示す。
図示するように、この処理では、まず、第１受信系統１で受信しているチャネルをｎチャネルとする（ステップ４０２）。そして、ｎチャネルの現在以降の所定時間分のＥＰＧが取得済みかどうかを調べ（ステップ４０４）、取得済みであればそのままステップ４０８に進み、取得済みでなければ再生系統４からｎチャネルのＥＰＧを取得（ステップ４０６）した上でステップ４０８に進む。
【００２７】
ここで、デジタルＴＶ放送では、各階層でＭＰＥＧ２規格に従い、図３ｂに示すような、ＴＳＰ（Transport Stream Packet）の列であるトランスポートストリーム（Transport Stream）が伝送される。
ＴＳＰには、ペイロードにビデオデータを含むＴＳＰ、ペイロードにオーディオデータを含むＴＳＰが含まれる他、ペイロードにＰＳＩ（Program Specific Information）を含むＴＳＰと、ペイロードにＳＩ（Service Information）を含むＴＳＰがある。
【００２８】
再生系統４のＴＳ分離部４２は、入力するＴＳのＴＳＰのヘッダに含まれるＰＩＤ（Packet Identifier）などに応じて、ＴＳからビデオデータとオーディオデータを分離し、ビデオデータについてはビデオデコーダ４４に、オーディオデータについてはオーディオデコーダ４３に送る。
【００２９】
また、再生系統４及び他チャネルＳＩ取得系統５のＴＳ分離部４２は入力するＴＳのＴＳＰのヘッダに含まれるＰＩＤなどに応じて、ＴＳからＰＳＩとＳＩを分離して制御部１０に送る。
ここで、ＰＳＩは、ＴＳの中に、どのような番組が含まれ、それをどのように復号するのかを示す情報であり、当該情報に基づいて、制御部１０は、再生系統４の再生動作等を制御する。
一方、ＳＩは放送局のサービス内容やイベントの開始時刻等を示す情報である。そして、ＳＩは、ＳＤＴ（Service Description Table）とＥＩＴ（Event Information Tabele）を含み、このＳＤＴとＥＩＴによって、ＥＰＧが示される。すなわち、ＳＤＴによってチャネル名称や放送事業者名が示され、ＥＩＴによって番組名称や、番組放送スケジュールが示される。
【００３０】
より詳細には、ＥＩＴには、１秒周期で放送される現在と次の番組情報を示すＨ−ＥＩＴ（Ｐ／ｆ）、６０秒周期で放送される８日分の番組情報を示すＨＩＴ、１秒周期で放送される１０番組程度の番組情報を示すＭ−ＥＩＴ及びＬ−ＥＩＴがあり、これらはＥＩＴを伝送するＴＳＰのＰＩＤで識別される。そして、ＥＩＴには、ＥＩＴの対象とするチャネル（サービスを）示すservice ID、番組（イベント）の識別子であるevent ID、イベントの開始時刻を示すstart time、イベントの時間的長さを示すdurarion、イベントの名称（番組名称）や内容の説明を示すdescriptorなどが含まれる。
【００３１】
そして、制御部１０は、再生系統及び他チャネルＳＩ取得系統５のＴＳ分離部４２から送られるＳＩのＥＩＴから、このようなＥＰＧを取得する。ただし、本実施形態のＥＰＧ提示処理では、送出周期の長いＨＩＴ以外のＥＩＴが示すＥＰＧを対象として処理を行う。
【００３２】
さて、図４に戻り、ｎチャネルの現在以降の所定時間分のＥＰＧを取得した状態となったならば、ｉ＝１として（ステップ４０８）、ｎ−ｉチャネルとｎ＋ｉチャネルのそれぞれのチャネルについて、現在以降の所定時間分のＥＰＧを取得済みかどうかを調べ（ステップ４１０、４１６）、取得済みでなければ、第２受信系統２に、そのチャネルを受信させると共に（ステップ４１２、４１８）、他チャネルＳＩ取得系統５から受信させたチャネルのＥＰＧを取得する（ステップ４１４、４２０）。ただし、ｎ−１チャネルとは周波数配置上、ｎチャネルよりもｉ番目に低い周波数帯を割り当てられている受信可能なチャネルを、ｎ＋ｉチャネルとは波数配置上、ｎチャネルよりもｉ番目に高い周波数帯を割り当てられている受信可能なチャネルを指す。
【００３３】
そして、ｎ−ｉチャネルとｎ＋ｉチャネルのそれぞれのチャネルについて、現在以降の所定時間分のＥＰＧを取得したならば、ｎ−１チャネル、ｎチャネル、ｎ＋１チャネルのＥＰＧに基づく番組表を再生系統４で再生され表示部８に表示されている映像上に、ＯＳＤ部６によって重畳表示する（ステップ４２２）。すなわち、たとえば、この時点で図５ａのように再生系統４で再生された映像が表示部８に表示されているのであれば、図５ｂに示すように３チャネル分のＥＰＧに基づく番組表５０１を、図５ａの映像上に表示する。ただし、既に、ｎ−１チャネル、ｎチャネル、ｎ＋１チャネルのＥＰＧに基づく番組表を表示中である場合には、このステップ４２２は行わずにステップ４２４にスキップするようにする。
【００３４】
さて、図４に戻り、このようにして現在第１受信系統で受信中のチャネルを中心とする３チャネル分の番組表を表示したならば、操作部９を介してユーザから通常再生復帰操作か（ステップ４２４）、ＥＰＧ表示中心チャネル移動操作（ステップ４２６）が入力されているかどうかを調べる。ここで、通常再生復帰操作は、たとえば、図５ｂの番組表５０１に付随させて表示した戻るボタン５０４の操作部９による操作などにより受付、ＥＰＧ表示中心チャネル移動操作は、たとえば、図５ｂの番組表５０１付随させて表示した矢印ボタン５０２、５０３の操作部９による操作などにより受け付ける。なお、ＥＰＧ表示中心チャネル移動操作には、番組表５０１の中央に表示するチャネルを現在よりも一つ高い周波数帯のチャネルに変更するチャネルアップ操作と、番組表５０１の中央に表示するチャネルを現在よりも一つ低い周波数帯のチャネルに変更するチャネルダウン操作があり、図５ｂの場合には右矢印ボタン５０３がチャネルアップ操作を、左矢印ボタン５０２がチャネルダウン操作を受け付けるためのボタンである。
【００３５】
そして、ＥＰＧ表示中心チャネル移動操作が行われた場合には（ステップ４２６）、ＥＰＧ表示中心チャネル移動操作によって番組表の中央に表示するチャネルとすることが要求されたチャネルをｎチャネルとして（ステップ４２８）、ｎチャネルの現在以降の所定時間分のＥＰＧを取得済みかどうかを調べ（ステップ４３０）、取得済みであれば、ステップ４０８に戻り、以上の処理を行う。一方、取得済みでなければ、第２受信系統２に、ｎチャネルを受信させる（ステップ４３２）と共に、他チャネルＳＩ取得系統５からｎチャネルのＥＰＧを取得した上で（ステップ４３４）ステップ４０８に戻り、以上の処理を行う。
【００３６】
この結果、たとえば、図５ｂの番組表５０１の表示において右矢印ボタン５０３が操作された場合には、図５ｃに示すように、番組表５０１に表示するチャネルが、一つチャネルの周波数帯が高い方向にシフトすることになる。
一方、通常再生復帰操作が行われた場合には（ステップ４２４）、そのまま処理を終了する。この結果、たとえば、図５ｃの番組表５０１において戻るボタン５０４が操作された場合には、以降のＥＰＧ取得処理によって、表示部８の表示が図５ａの表示に復帰することになる。ただし、表示される番組を受信する階層は、上記ＥＰＧ取得処理によってＥＰＧ提示処理中とは異なったものに変更される場合もある。
【００３７】
また、通常再生復帰操作もＥＰＧ表示中心チャネル移動操作も行われていない場合には（ステップ４２４、４２６）、ｉ＝ｉ＋１（ステップ４３６）として、ステップ４１９に戻ることにより、既にＥＰＧを取得した最も周波数帯が高いチャネルの次に高い周波数帯のチャネルと既にＥＰＧを取得した最も周波数帯が低いチャネルのチャネルの次に低い周波数帯のチャネルの第２受信系統２による受信と他チャネルＳＩ取得系統５からのＥＰＧの取得を行う。
【００３８】
なお、以上のＥＰＧ提示処理において第２受信系統２で受信する階層は、第２受信系統２で受信中のチャネルの階層のうちで最も強い階層とする。
以上、本発明の実施形態について説明した。
ところで、以上では、ダイバーシティ受信用に設けた第１受信系統１と第２受信系統２のうちの、第２受信系統２を、受信中チャネルと異なるチャネルのＥＰＧ取得に用いたが、この第２受信系統２は、受信状態の良いチャネルまたは所定の条件を満たすチャネルのシークなど、他の用途に用いるようにしてもよい。
【００３９】
すなわち、操作部９からのユーザのシーク指示に応答して、上述のＥＰＧ取得処理と同様にして第１受信系統１のみを非ダイバーシティ受信に用いた受信中チャネルの受信と再生を行いながら、第２受信系統２の受信周波数を変化させながら、受信状態の良いチャネルまたは所定の条件を満たすチャネルを探索したり、さらに、探索したチャネルに受信チャネルを変更した上での受信チャネルの第１受信系統１と第２受信系統２を用いたダイバーシティ受信を行うようにしてもよい。なお、この際に受信状態の良いチャネルは、他チャネルＳＩ取得系統５の誤り訂正部４１で検出された誤り率や、第２受信系統２のチューナ１２やＯＦＤＭ復調器１３で検出した受信信号の強度などより、制御部１０において求めることができる。また、たとえば、所定の条件を満たすチャネルとして、所定の番組や所定のジャンルの番組を放送しているチャネルや現在の受信中のチャネルと同系列の放送局の放送が行われているチャネルを探索する場合などには、他チャネルＳＩ取得系統５のＴＳ分離部４２から受け取ったＳＩに基づいて、制御部１０において、当該チャネルを求めることができる。
【００４０】
ところで、以上では、第１受信系統１と第２受信系統２の２つの受信系統を用いたダイバーシティ受信を行う場合について説明したが、本実施形態は３系統以上の受信系統を用いたダイバーシティ受信を行う場合についても同様に適用することができる。また、ｎ（ｎ＞２）系統の受信系統を用いたダイバーシティ受信を行う場合には、ｍ（ｎ＞ｍ＞１）の受信系統を用いて受信中チャネルのダイバーシティ受信を継続しながら、残りの受信系統を用いて他チャネルのＥＰＧの取得を行ったり、受信状態の良いチャネルまたは所定の条件を満たすチャネルの探索を行うようにしてもよい。また、受信中チャネルの受信を継続させる受信系統の他に複数の受信系統を確保できる場合には、他チャネルのＥＰＧ取得や受信状態の良いチャネルまたは所定の条件を満たすチャネルの探索のための受信を２以上の受信系統を用いたダイバーシティ受信によって行うようにしてもよい。または、受信中チャネルの受信を継続させる受信系統以外の複数の受信系統を各々異なる他チャネルの受信に用いて、各他チャネルのＥＰＧ取得や受信状態の良いチャネルまたは所定の条件を満たすチャネルの探索を並列に行うようにするようにしてもよい。
【００４１】
また、以上ではデジタルＴＶ放送を受信するデジタル放送受信装置への適用を例にとり説明したが、本実施形態はデジタルオーディオ放送を受信するデジタル放送受信装置などにも同様に適用することができる。
【図面の簡単な説明】
【００４２】
【図１】本発明の実施形態に係るデジタル放送受信機の構成を示すブロック図である。
【図２】本発明の実施形態に係るＥＰＧ取得処理の手順を示すフローチャートである。
【図３】デジタルＴＶ放送の放送方式を示す図である。
【図４】本発明の実施形態に係るＥＰＧ提示処理の手順を示すフローチャートである。
【図５】本発明の実施形態に係るデジタル放送受信装置の表示画面例を示す図である。
【符号の説明】
【００４３】
１…第１受信系統、２…第２受信系統、３…ダイバーシティ合成部、４…再生系統、５…他チャネルＳＩ取得系統、６…ＯＳＤ部、７…音声出力部、８…表示部、９…操作部、１０…制御部、１１…アンテナ、１２…チューナ、１３…ＯＦＤＭ復調器、３１…位相器、３２…合成器、３３…切替部、４１…訂正部、４２…ＴＳ分離部、４３…オーディオデコーダ、４４…ビデオデコーダ。
【図１】
2005117226.tif 000003
【図２】
2005117226.tif 000004
【図３】
2005117226.tif 000005
【図４】
2005117226.tif 000006
【図５】
2005117226.tif 000007